(57)【要約】【課題】高品位のカラー映像を空中に表示できる映像表示システムを提供する。【解決手段】この映像表示システムは、表示すべき元のカラー映像を示す第１の映像信号φＰを補正して第２の映像信号φＰＡを生成するＲＧＢ逆シフト回路３０と、第２の映像信号φＰＡに従ってカラー映像ＩＭ１を表示する映像表示装置３１と、映像表示装置３１によって表示されたカラー映像の実像ＩＭ２を映像表示装置３１と反対側の空中に結像させる２面コーナーリフレクタアレイ１とを備える。ＲＧＢ逆シフト回路３０は、カラー映像の実像ＩＭ２の色味が元のカラー映像の色味に一致するように第１の映像信号φＰを補正する。【選択図】図９
2013178288.tif 000002
【特許請求の範囲】
【請求項１】
表示すべき第１のカラー映像を示す第１の映像信号を補正して、前記第１のカラー映像と異なる色味の第２のカラー映像を示す第２の映像信号を生成する補正回路と、
前記第２の映像信号に従って前記第２のカラー映像を表示する映像表示装置と、
前記映像表示装置によって表示された前記第２のカラー映像の実像を前記映像表示装置と反対側の空中に結像させる結像素子とを備え、
前記補正回路は、前記結像素子によって空中に結像された前記第２のカラー映像の実像の色味が前記第１のカラー映像の色味に一致するように前記第１の映像信号を補正する、映像表示システム。
【請求項２】
前記結像素子は行列状に配置された複数の単位光学素子を含み、
各単位光学素子は、前記結像素子の一方側表面から入射した光を反射させて前記結像素子の他方側表面から出射させるＮ個（ただし、Ｎは自然数である）の反射面を有する、請求項１に記載の映像表示システム。
【請求項３】
前記第１のカラー映像は、互いに異なる色の複数の副映像を含み、
前記第１の映像信号は、各副映像に対応して設けられ、対応の副映像を示す副映像信号を含み、
各副映像の輝度は、前記Ｎ個の反射面の各々で反射する毎にＸ倍（ただし、Ｘは、１以下の正の実数であり、当該副映像に固有の値である）に減少し、
前記補正回路は、各副映像に対応して設けられ、対応の副映像の輝度が１／ＸＮ倍に増大するように対応の副映像信号を補正する副補正回路を含む、請求項２に記載の映像表示システム。
【請求項４】
各副映像信号は、対応の副映像の輝度を示す輝度データを含み、
前記副補正回路は、対応の副映像信号に含まれる輝度データと補正後の輝度データとの関係を示すテーブルに基づいて、対応の副映像信号を補正する、請求項３に記載の映像表示システム。
【請求項５】
各副映像信号は、対応の色の映像の輝度を示す輝度データを含み、
前記副補正回路は、対応の副映像信号に含まれる輝度データを１／ＸＮ倍する乗算器を含む、請求項３に記載の映像表示システム。
【請求項６】
前記Ｎは所望の値に変更可能になっている、請求項３から請求項５までのいずれかに記載の映像表示システム。
【請求項７】
前記第１のカラー映像は、互いに異なる色の複数の副映像を含み、
前記第１の映像信号は、各副映像に対応して設けられ、対応の副映像を示す副映像信号を含み、
各副映像の輝度は、前記Ｎ個の反射面が第１の金属で形成されている場合は、前記Ｎ個の反射面の各々で反射する毎にＸ倍（ただし、Ｘは、１以下の正の実数であり、当該副映像に固有の値である）に減少し、前記Ｎ個の反射面が第２の金属で形成されている場合は、前記Ｎ個の反射面の各々で反射する毎にＹ倍（ただし、Ｙは、１以下の正の実数であり、当該副映像に固有の値である）に減少し、
前記補正回路は、
各副映像に対応して設けられ、対応の副映像の輝度が１／ＸＮ倍に増大するように対応の副映像信号を補正する第１の副補正回路と、
各副映像に対応して設けられ、対応の副映像の輝度が１／ＹＮ倍に増大するように対応の副映像信号を補正する第２の副補正回路と、
各色に対応して設けられ、前記Ｎ個の反射面が前記第１の金属で形成されている場合は、前記第１の副補正回路によって補正された副映像信号を前記映像表示装置に与え、前記Ｎ個の反射面が前記第２の金属で形成されている場合は、前記第２の副補正回路によって補正された副映像信号を前記映像表示装置に与える選択回路とを含む、請求項２に記載の映像表示システム。
【発明の詳細な説明】
【技術分野】
【０００１】
この発明は映像表示システムに関し、特に、空中にカラー映像を表示する映像表示システムに関する。
【背景技術】
【０００２】
近年、空中にカラー映像を表示する映像表示システムが開発されている。この映像表示システムでは、行列状に配置された複数の単位光学素子を含む平板状の結像素子が使用される。各単位光学素子は、互いに直交する２つの反射面を含む。結像素子の一方側表面から入射した光は、各単位光学素子の２つの反射面で反射されて、結像素子の他方側表面から出射する。結像素子の一方面側でカラー映像を表示すると、結像素子の他方面側の空中にカラー映像の実像が結像される（たとえば、特許文献１参照）。
【先行技術文献】
【特許文献】
【０００３】
【特許文献１】特開２００９−２７６６９９号公報
【発明の概要】
【発明が解決しようとする課題】
【０００４】
しかし、従来の映像表示システムでは、反射面が金属で形成されているので、反射面の光反射特性によってカラー映像の色味が変わってしまい、表示品位が低いと言う問題がある。たとえば、反射面をニッケルで形成した場合、空中に表示されたカラー映像は元のカラー映像を黄色っぽく変色させたものになる。
【０００５】
それゆえに、この発明の主たる目的は、高品位のカラー映像を空中に表示することが可能な映像表示システムを提供することである。
【課題を解決するための手段】
【０００６】
この発明に係る映像表示システムは、表示すべき第１のカラー映像を示す第１の映像信号を補正して、第１のカラー映像と異なる色味の第２のカラー映像を示す第２の映像信号を生成する補正回路と、第２の映像信号に従って第２のカラー映像を表示する映像表示装置と、映像表示装置によって表示された第２のカラー映像の実像を映像表示装置と反対側の空中に結像させる結像素子とを備えたものである。補正回路は、結像素子によって空中に結像された第２のカラー映像の実像の色味が第１のカラー映像の色味に一致するように第１の映像信号を補正する。
【０００７】
好ましくは、結像素子は行列状に配置された複数の単位光学素子を含み、各単位光学素子は、結像素子の一方側表面から入射した光を反射させて結像素子の他方側表面から出射させるＮ個（ただし、Ｎは自然数である）の反射面を有する。
【０００８】
また好ましくは、第１のカラー映像は、互いに異なる色の複数の副映像を含み、第１の映像信号は、各副映像に対応して設けられ、対応の副映像を示す副映像信号を含む。各副映像の輝度は、Ｎ個の反射面の各々で反射する毎にＸ倍（ただし、Ｘは、１以下の正の実数であり、当該副映像に固有の値である）に減少する。補正回路は、各副映像に対応して設けられ、対応の副映像の輝度が１／ＸＮ倍に増大するように対応の副映像信号を補正する副補正回路を含む。
【０００９】
また好ましくは、各副映像信号は、対応の副映像の輝度を示す輝度データを含み、副補正回路は、対応の副映像信号に含まれる輝度データと補正後の輝度データとの関係を示すテーブルに基づいて、対応の副映像信号を補正する。
【００１０】
また好ましくは、各副映像信号は、対応の副映像の輝度を示す輝度データを含み、副補正回路は、対応の副映像信号に含まれる輝度データを１／ＸＮ倍する乗算器を含む。
【００１１】
また好ましくは、Ｎは所望の値に変更可能になっている。
また好ましくは、第１のカラー映像は、互いに異なる色の複数の副映像を含み、第１の映像信号は、各副映像に対応して設けられ、対応の副映像を示す副映像信号を含む。各副映像の輝度は、Ｎ個の反射面が第１の金属で形成されている場合は、Ｎ個の反射面の各々で反射する毎にＸ倍（ただし、Ｘは、１以下の正の実数であり、当該副映像に固有の値である）に減少し、Ｎ個の反射面が第２の金属で形成されている場合は、Ｎ個の反射面の各々で反射する毎にＹ倍（ただし、Ｙは、１以下の正の実数であり、当該副映像に固有の値である）に減少する。補正回路は、各副映像に対応して設けられ、対応の副映像の輝度が１／ＸＮ倍に増大するように対応の副映像信号を補正する第１の副補正回路と、各副映像に対応して設けられ、対応の副映像の輝度が１／ＹＮ倍に増大するように対応の副映像信号を補正する第２の副補正回路と、各副映像に対応して設けられ、Ｎ個の反射面が第１の金属で形成されている場合は、第１の副補正回路によって補正された副映像信号を映像表示装置に与え、Ｎ個の反射面が第２の金属で形成されている場合は、第２の副補正回路によって補正された副映像信号を映像表示装置に与える選択回路とを含む。
【発明の効果】
【００１２】
この発明に係る映像表示システムでは、表示すべき第１のカラー映像を示す第１の映像信号を補正して、第１のカラー映像と異なる色味の第２のカラー映像を示す第２の映像信号を生成する補正回路と、第２の映像信号に従って第２のカラー映像を表示する映像表示装置と、映像表示装置によって表示された第２のカラー映像の実像を映像表示装置と反対側の空中に結像させる結像素子とが設けられ、補正回路は、結像素子によって空中に結像された第２のカラー映像の実像の色味が第１のカラー映像の色味に一致するように第１の映像信号を補正する。したがって、元の第１のカラー映像と同じ色味の高品位のカラー映像を空中に表示することができる。
【図面の簡単な説明】
【００１３】
【図１】本願発明の基礎となる２面コーナーリフレクタアレイの構成および使用方法を模式的に示す図である。
【図２】図１に示した２面コーナーリフレクタアレイの他の使用方法を例示する図である。
【図３】図１に示した２面コーナーリフレクタの構成を示す図である。
【図４】図１に示した２面コーナーリフレクタアレイの具体例を示す図である。
【図５】図４に示した２面コーナーリフレクタアレイの要部を示す図である。
【図６】図１〜図５に示した２面コーナーリフレクタアレイの問題点を説明するための図である。
【図７】図１〜図５に示した２面コーナーリフレクタアレイの問題点を説明するための他の図である。
【図８】図１〜図５に示した２面コーナーリフレクタアレイの問題点を説明するためのさらに他の図である。
【図９】この発明の一実施の形態による映像表示システムの構成を示すブロック図である。
【図１０】図９に示したＲＧＢ逆シフト回路の構成を示すブロック図である。
【図１１】図１０に示したＲ補正回路に含まれるテーブルを示す図である。
【図１２】実施の形態の変更例を示すブロック図である。
【図１３】実施の形態の他の変更例を示すブロック図である。
【図１４】実施の形態のさらに他の変更例を示すブロック図である。
【発明を実施するための形態】
【００１４】
本願発明について説明する前に、本願発明の基礎となる２面コーナーリフレクタアレイ１（結像素子）について説明する。２面コーナーリフレクタアレイ１は、図１に示すように、複数行複数列に配置された複数の２面コーナーリフレクタ２を含む。各２面コーナーリフレクタ２は、互いに略直交する第１鏡面要素３および第２鏡面要素４を含む。
【００１５】
この２面コーナーリフレクタアレイ１は、素子面Ｓに対して一方側（図１では下方側）の空間に配置した被投影物Ｏの鏡映像Ｐを実像として（以下、「実鏡映像Ｐ」という）、素子面Ｓに対する面対称位置に結像させるものである。図１では、２次元の被投影物Ｏとして、文字「Ａ」の上下を反転させたものを採用し、この被投影物Ｏの素子面Ｓに対する面対称位置に実鏡映像Ｐを、正しい上下姿勢の文字「Ａ」として結像させた状態を例示している。
【００１６】
また、図２では、３次元の被投影物Ｏとして、円柱の外周面に文字「Ｆ」を上下反転させて表示したものを採用し、この被投影物Ｏの素子面Ｓに対する面対称位置に実鏡映像Ｐとして、円筒の内周面に正しい上下姿勢となった文字「Ｆ」が表示されたものを結像させた状態を例示している。
【００１７】
これらの実鏡映像Ｐは、素子面Ｓに対して被投影物Ｏとは反対側の空間における視点Ｖから観察することができる。このような２面コーナーリフレクタアレイ１による結像作用は、図３に模式的に示すように、各２面コーナーリフレクタ２において、光が素子面Ｓの一方側から他方側へ透過する際に、被投影物Ｏから発した光が第１鏡面要素３で反射し、さらに第２鏡面要素４で反射することによって得られるものである。
【００１８】
具体的に説明すると、２面コーナーリフレクタアレイ１は、図４に示すように、一方向に長手寸法を有する細長い第１鏡面１１を複数同一方向を向けて平行に並べて有する第１部材１０と、一方向に長手寸法を有する細長い第２鏡面２１を複数同一方向に向けて平行に並べて有する第２部材２０とを備える。各第１鏡面１１と各第２鏡面２１とがほぼ直角をなすように、これら第１部材１０と第２部材２０とを上下に重ね合わせて配置している。第１部材１０と第２部材２０とは、実質的に同じ構成の部材である。
【００１９】
第１部材１０は、主として、概略四角柱状をなし、かつ１つの面（図４では前面）に第１鏡面１１を形成した複数の第１鏡体１２と、これら複数の第１鏡体１２を平行に並べて支持する第１ベース１３とを備えたものである。
【００２０】
第１鏡体１２は、不透明な材質からなる。第１鏡体１２の前面には、鏡面処理が施され、２面コーナーリフレクタ２の第１鏡面要素３を含む第１鏡面１１が形成されている。第１鏡体１２の前面以外の面、すなわち背面、上向面、下向面には鏡面処理は施されず、それらの面は反射不能な非鏡面とされている。
【００２１】
第１鏡体１２の好適な材質としては、ステンレス四角柱や、金属または成型品の四角柱、あるいは金属四角柱が挙げられる。また、鏡面処理としては、アルミニウムやニッケルなどの金属を膜状に蒸着させる蒸着処理や、研磨処理、メッキ処理、あるいはスパッタリングが挙げられる。第１鏡体１２の高さおよび奥行きは、それぞれ０．５ｍｍ以下、たとえば２５０μｍに設定される。第１ベース１３は、たとえばアクリルなどの透明な材質からなる厚さ数ｍｍの薄板状のものである。第１ベース１３としては、たとえば、一辺が約５０ｃｍの平面視正方形状のものが使用される。
【００２２】
また、第２部材２０は、第１部材１０とほぼ同様の構造をなすものであり、第１鏡体１２と同様に１つの面（図４では前面）に第２鏡面２１を形成した概略四角柱状をなす第２鏡体２２と、複数の第２鏡体２２を平行に並べて支持する第２ベース２３とを備えたものである。これら第２鏡体２２および第２ベース２３の具体的構成は、それぞれ第１部材１０の第１鏡体１２および第１ベース１３とほぼ同様のものであるため、詳細な説明は省略する。
【００２３】
２面コーナーリフレクタアレイ１は、第１部材１０の各第１鏡面１１と第２部材２０の各第２鏡面２１とがほぼ直角をなすように、第１部材１０と第２部材２０とを重ね合わせることによって作製される。ここで「ほぼ直角」とは、９０度±３分の角度範囲を意味する。
【００２４】
図５に示すように、隣接する２つの第１鏡体１２同士と隣接する２つの第２鏡体２２同士とによって区画される平面視ほぼ正方形状の各領域Ａ内において、高さをずらしてほぼ直交する第１鏡面１１の小領域である第１鏡面要素３と第２鏡面２１の小領域である第２鏡面要素４との組み合わせによって１個の２面コーナーリフレクタ２が構成される。第１鏡面要素３と第２鏡面要素４との境界部を通り、かつ鏡面要素３，４に対してほぼ垂直な平面を素子面Ｓとし、素子面Ｓに対する被投影物Ｏの面対称位置に被投影物Ｏの実鏡映像Ｐが結像される。
【００２５】
このようにして作製される２面コーナーリフレクタアレイ１では、素子面Ｓの一方側の空間に配置された被投影物Ｏから発した光が領域Ａ内を通過する際に、図３で示したように、２面コーナーリフレクタ２の第１鏡面要素３および第２鏡面要素４で１回ずつ、合計２回反射する。これにより、素子面Ｓに対する被投影物Ｏの面対称位置に実鏡映像Ｐが結像し、それを素子面Ｓに対して実鏡映像Ｐと同じ側の空間に設定される視点Ｖから観察することができる。
【００２６】
また、全ての２面コーナーリフレクタ２が第１ベース１３および第２ベース２３の辺に対してほぼ４５度を向くようにしているため、観察者にとっては、当該角度の上方（図１、図２における矢印方向）からの眺めが正面中央となる。
【００２７】
さて、このような２面コーナーリフレクタアレイ１の一方面側に映像表示装置を配置し、映像表示装置によって表示されるカラー映像の実像を２面コーナーリフレクタアレイ１の他方面側の空中に表示すると、鏡面要素３，４の光反射特性によってカラー映像の色味が変わってしまい、表示品位が低下すると言う問題がある。次に、図面を用いて、この問題を具体的に説明する。
【００２８】
図６は、銀（Ａｇ）、アルミニウム（Ａｌ）、ニッケル（Ｎｉ）で形成された鏡面の光反射特性を示す図である。横軸は入射光の波長（ｎｍ）を示し、縦軸は標準白色板に対する相対反射率（％）を示している。入射光としては、４００ｎｍから７００ｎｍまでの可視光を使用した。図６から分かるように、銀で形成された鏡面では、短波長域で若干反射率が低下するものの、標準白色板と略等しい光反射特性が得られる。アルミニウムで形成された鏡面では、相対反射率は短波長側で９５％程度になり、長波長域で８５％程度になる。ニッケルで形成された鏡面では、相対反射率は短波長側で５５％程度になり、長波長域で７０％程度になる。
【００２９】
図７は、銀（Ａｇ）、アルミニウム（Ａｌ）、ニッケル（Ｎｉ）で形成された鏡面に白色光を照射したときの反射光の色度を示す図である。図７から分かるように、銀で形成された鏡面で反射した光は、ほぼ白色光となる。アルミニウムで形成された鏡面で反射した光の色味は、白色光よりも青色側にシフトする。ニッケルで形成された鏡面で反射した光の色味は、白色光よりも黄色側にシフトする。
【００３０】
図８は、光源から出射された光を鏡面で２回反射させた場合の輝度値の変化を示す図である。横軸は入射光の波長（ｎｍ）を示し、縦軸は輝度値を示している。入射光としては、ある光源の出射光を使用した。この光源の出射光は、４００ｎｍから７００ｎｍまでの可視光を含む。図８から分かるように、ニッケルで形成された鏡面を用いた場合は、特に短波長側において輝度値がかなり低下した。このため、たとえば、鏡面要素３，４をニッケルで形成した場合、空中に表示されたカラー映像は元のカラー映像を黄色っぽく変色させたものになる。本願発明は、この問題を解決するものである。
【００３１】
図９は、この発明の一実施の形態による映像表示システムの構成を示すブロック図である。図９において、この映像表示システムは、２面コーナーリフレクタアレイ１、ＲＧＢ逆シフト回路３０、および映像表示装置３１を備える。２面コーナーリフレクタアレイ１に含まれる各２面コーナーリフレクタ２の２つの鏡面要素３，４はニッケルで形成されているものとする。ＲＧＢ逆シフト回路３０は、元のカラー映像を示す映像信号φＰを補正して、元のカラー映像と異なる色身（この場合は青味）のカラー映像を示す映像信号φＰＡを生成する。
【００３２】
映像表示装置３１は、映像信号φＰＡに従ってカラー映像ＩＭ１を表示する。２面コーナーリフレクタアレイ１は、カラー映像ＩＭ１の実鏡映像であるカラー映像ＩＭ２を空中に表示する。ＲＧＢ逆シフト回路３０は、カラー映像ＩＭ２の色味が元のカラー映像の色味と一致するように、映像信号φＰを補正する。
【００３３】
すなわち、ＲＧＢ逆シフト回路３０を設けずに映像信号φＰを映像表示装置３１に直接与えると、映像表示装置３１は元のカラー映像をそのまま表示する。このカラー映像は、自然な色味の映像であるが、２面コーナーリフレクタ２の２つの鏡面要素３，４で反射されると、色味が黄色側に変化してしまう。
【００３４】
一方、本願発明では、ＲＧＢ逆シフト回路３０によって映像信号φＰを補正して映像信号φＰＡを生成する。この場合、映像表示装置３１によって表示されるカラー映像ＩＭ１の色味は青色側にシフトしている（図７参照）。このカラー映像ＩＭ１が２面コーナーリフレクタ２の２つの鏡面要素３，４で反射されると、カラー映像ＩＭ１の色味が黄色側にシフトされる。この結果、ＲＧＢ逆シフト回路３０による色味のシフト量と２面コーナーリフレクタ２による色身のシフト量が相殺されて、自然な色身のカラー映像ＩＭ２が空中に表示される。
【００３５】
図１０は、ＲＧＢ逆シフト回路３０の構成を示すブロック図である。図１０において、映像信号φＰは、赤色（Ｒ）の映像を示す副映像信号φＲと、緑色（Ｇ）の映像を示す副映像信号φＧと、青色（Ｂ）の映像を示す副映像信号φＢとを含む。ＲＧＢ逆シフト回路３０は、信号φＲを補正して信号φＲＡを生成するＲ補正回路３０ａと、信号φＧを補正して信号φＧＡを生成するＧ補正回路３０ｂと、信号φＢを補正して信号φＢＡを生成するＢ補正回路３０ｃとを含む。
【００３６】
今、映像表示装置３１によって表示されたカラー映像のうちの赤色の映像の輝度が２面コーナーリフレクタ２の鏡面要素（３または４）で反射するごとにｘ倍（ただし、ｘは１以下の正の実数である）に減少されるものとする。この場合、Ｒ補正回路３０ａは、元のカラー映像のうちの赤色の映像の輝度が１／ｘ２倍になるように、信号φＲを補正して信号φＲＡを生成する。
【００３７】
また、映像表示装置３１によって表示されたカラー映像のうちの緑色の映像の輝度が２面コーナーリフレクタ２の鏡面要素（３または４）で反射するごとにｙ倍（ただし、ｙは１以下の正の実数である）に減少されるものとする。この場合、Ｇ補正回路３０ｂは、元のカラー映像のうちの緑色の映像の輝度が１／ｙ２倍になるように、信号φＧを補正して信号φＧＡを生成する。
【００３８】
また、映像表示装置３１によって表示されたカラー映像のうちの青色の映像の輝度が２面コーナーリフレクタ２の鏡面要素（３または４）で反射するごとにｚ倍（ただし、ｚは１以下の正の実数である）に減少されるものとする。この場合、Ｂ補正回路３０ｃは、元のカラー映像のうちの青色の映像の輝度が１／ｚ２倍になるように、信号φＢを補正して信号φＢＡを生成する。
【００３９】
具体的には、Ｒ補正回路３０ａは、図１１に示すように、信号φＲに含まれる元輝度データＤＩと、補正後の新輝度データＤＯとの関係を示すテーブル３２を有する。元輝度データＤＩの１／ｘ２倍が新輝度データＤＯになっている。Ｒ補正回路３０ａは、元輝度データＤＩとテーブル３２に基づいて新輝度データＤＯを生成し、その新輝度データＤＯを含む副映像信号φＲＡを生成して映像表示装置３１に与える。Ｇ補正回路３０ｂおよびＢ補正回路３０ｃの各々も、Ｒ補正回路３０ａと同じ構成である。
【００４０】
映像表示装置３１は、副映像信号φＲＡによって示される赤色の映像と、副映像信号φＧＡによって示される緑色の映像と、副映像信号φＢＡによって示される青色の映像とを合成したカラー映像ＩＭ１を表示する。カラー映像ＩＭ１のうちの赤色の映像の輝度は、２面コーナーリフレクタ２によってｘ２倍される。カラー映像ＩＭ１のうちの緑色の映像の輝度は、２面コーナーリフレクタ２によってｙ２倍される。カラー映像ＩＭ１のうちの青色の映像の輝度は、２面コーナーリフレクタ２によってｚ２倍される。したがって、空中に表示されたカラー映像ＩＭ２の色味は、元のカラー映像の色味と同じになる。
【００４１】
この実施の形態では、２面コーナーリフレクタアレイ１によって低減される各色の映像の輝度を、各色ごとに予めＲＧＢ逆シフト回路３０によって増大させるので、ＲＧＢ逆シフト回路３０による色味のシフト量と２面コーナーリフレクタ２による色身のシフト量が相殺されて、自然な色身のカラー映像ＩＭ２を表示することができる。
【００４２】
図１２は、この実施の形態の変更例を示すブロック図である。図１２において、この変更例では、Ｒ補正回路３０ａは、テーブル３２の代わりに乗算器３３を含む。乗算器３３は、副映像信号φＲに含まれる輝度データに１／ｘ２を乗ずることにより、副映像信号φＲＡを生成する。Ｇ補正回路３０ｂおよびＢ補正回路３０ｃの各々も乗算器３３を含む。Ｇ補正回路３０ｂの乗算器３３は、副映像信号φＧに含まれる輝度データに１／ｙ２を乗ずることにより、副映像信号φＧＡを生成する。Ｂ補正回路３０ｃの乗算器３３は、副映像信号φＢに含まれる輝度データに１／ｚ２を乗ずることにより、副映像信号φＢＡを生成する。この変更例でも、実施の形態と同じ効果が得られる。
【００４３】
図１３は、この実施の形態の他の変更例を示すブロック図である。図１３において、この変更例では、Ｒ補正回路３０ａは、テーブル３２の代わりに乗算器３４を含む。乗算器３４は、副映像信号φＲに含まれる輝度データに１／ｘを、設定された回数Ｎだけ乗ずることにより、副映像信号φＲＡを生成する。Ｎは、結像素子で光が反射する回数であり、２面コーナーリフレクタアレイ１を用いた場合は２である。２面コーナーリフレクタアレイ１と光の反射回数が異なる他の結像素子を使用した場合は、Ｎの値はその結像素子に応じた値に設定される。
【００４４】
Ｇ補正回路３０ｂおよびＢ補正回路３０ｃの各々も乗算器３４を含む。Ｇ補正回路３０ｂの乗算器３４は、副映像信号φＧに含まれる輝度データに１／ｙをＮ回乗ずることにより、副映像信号φＧＡを生成する。Ｂ補正回路３０ｃの乗算器３４は、副映像信号φＢに含まれる輝度データに１／ｚをＮ回乗ずることにより、副映像信号φＢＡを生成する。この変更例でも、実施の形態と同じ効果が得られ他、２面コーナーリフレクタアレイ１と光の反射回数が異なる他の結像素子が使用された場合でも対応可能である。
【００４５】
図１４は、この実施の形態のさらに他の変更例を示すブロック図である。図１４において、この変更例では、ＲＧＢ逆シフト回路３０の代わりにＲＧＢ逆シフト回路４０が設けられる。ＲＧＢ逆シフト回路４０は、Ｒ１補正回路４１、Ｒ２補正回路４２、Ｇ１補正回路４３、Ｇ２補正回路４４、Ｂ１補正回路４５、Ｂ２補正回路４６、および選択回路４７〜４９を含む。
【００４６】
補正回路４１，４３，４５は、それぞれ、２面コーナーリフレクタ２の２つの鏡面要素３，４がニッケルで形成されている場合に副映像信号φＲ，φＧ，φＢの輝度データを補正するニッケル用補正係数Ｋｒ１，Ｋｇ１，Ｋｂ１を有する。ニッケル用補正係数Ｋｒ１，Ｋｇ１，Ｋｂ１は、２面コーナーリフレクタ２の２つの鏡面要素３，４がニッケルで形成されている場合に元のカラー映像の色味と空中に表示されるカラー映像の色味が一致するように予め設定されている。
【００４７】
補正回路４２，４４，４６は、それぞれ、２面コーナーリフレクタ２の２つの鏡面要素３，４がアルミニウムで形成されている場合に副映像信号φＲ，φＧ，φＢの輝度データを補正するアルミニウム用補正係数Ｋｒ２，Ｋｇ２，Ｋｂ２をそれぞれ有する。アルミニウム用補正係数Ｋｒ２，Ｋｇ２，Ｋｂ２は、２面コーナーリフレクタ２の２つの鏡面要素３，４がアルミニウムで形成されている場合に元のカラー映像の色味と空中に表示されるカラー映像の色味が一致するように予め設定されている。
【００４８】
上記実施の形態と同様に表現すると、ニッケル用補正係数Ｋｒ１，Ｋｇ１，Ｋｂ１は、それぞれ１／（ｘ１）２，１／（ｙ１）２，１／（ｚ１）２である。また、アルミニウム用補正係数Ｋｒ２，Ｋｇ２，Ｋｂ２は、それぞれ１／（ｘ２）２，１／（ｙ２）２，１／（ｚ２）２である。図６から分かるように、ｘ１＜ｘ２，ｙ１＜ｙ２，ｚ１＜ｚ２である。
【００４９】
補正回路４１，４３，４５は、それぞれ、ニッケル用補正係数Ｋｒ１，Ｋｇ１，Ｋｂ１を使用して副映像信号φＲ，φＧ，φＢを補正し、副映像信号φＲ１，φＧ１，φＢ１を生成する。補正回路４２，４４，４６は、それぞれ、アルミニウム用補正係数Ｋｒ２，Ｋｇ２，Ｋｂ２を使用して副映像信号φＲ，φＧ，φＢを補正し、副映像信号φＲ２，φＧ２，φＢ２を生成する。
【００５０】
選択回路４７〜４９の各々は、選択信号ＳＥによって制御される。選択信号ＳＥは、２面コーナーリフレクタ２の２つの鏡面要素３，４がニッケルで形成されている場合は「Ｈ」レベルにされ、２面コーナーリフレクタ２の２つの鏡面要素３，４がアルミニウムで形成されている場合は「Ｌ」レベルにされる。
【００５１】
選択信号ＳＥが「Ｈ」レベルにされた場合、選択回路４７〜４９は、それぞれ、副映像信号φＲ１，φＧ１，φＢ１を選択し、副映像信号φＲＡ，φＧＡ，φＢＡとして出力する。選択信号ＳＥが「Ｌ」レベルにされた場合、選択回路４７〜４９は、それぞれ、副映像信号φＲ２，φＧ２，φＢ２を選択し、副映像信号φＲＡ，φＧＡ，φＢＡとして出力する。この変更例では、実施の形態と同じ効果が得られる他、２面コーナーリフレクタ２の２つの鏡面要素３，４がニッケルで形成されている場合とアルミニウムで形成されている場合とのいずれの場合でも対応可能である。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５３】
１  ２面コーナーリフレクタアレイ、２  ２面コーナーリフレクタ、３  第１鏡面要素、４  第２鏡面要素、１０  第１部材、１１  第１鏡面、１２  第１鏡体、１３  第１ベース、２０  第２部材、２１  第２鏡面、２２  第２鏡体、２３  第２ベース、３０，４０  ＲＧＢ逆シフト回路、３０ａ〜３０ｃ，４１〜４６  補正回路、３１  映像表示装置、３２  テーブル、３３，３４  乗算器、４７〜４９  選択回路、Ａ  領域、ＩＭ  カラー映像、Ｏ  被投影物、Ｐ  実鏡映像、Ｓ  素子面、Ｖ  視点。
【図１】
2013178288.tif 000003
【図２】
2013178288.tif 000004
【図３】
2013178288.tif 000005
【図４】
2013178288.tif 000006
【図５】
2013178288.tif 000007
【図６】
2013178288.tif 000008
【図７】
2013178288.tif 000009
【図８】
2013178288.tif 000010
【図９】
2013178288.tif 000011
【図１０】
2013178288.tif 000012
【図１１】
2013178288.tif 000013
【図１２】
2013178288.tif 000014
【図１３】
2013178288.tif 000015
【図１４】
2013178288.tif 000016